(57)【要約】【課題】賞球数量情報を入口管理することにより、入賞と賞球数量情報出力とのタイムラグを減少し、賞球数量情報の正確な管理を図る。【解決手段】主制御部４が、入賞球検出スイッチ３より入力された入賞球検出信号に対応する賞球指示払出数を生成し、その生成した賞球指示払出数の所定単位数量毎に賞球数量情報をホールコンピュータ５０に送信し、上記生成した賞球指示払出数を球払出制御部２０に出力し、球払出制御部２０が主制御部４より入力された賞球指示払出数に基づき賞球払出機構部３０を制御し、主制御部４と球払出制御部２０とが互いに分別構成されていることによって、主制御部４が遊技盤裏面に設けられ、球払出制御部２０が遊技盤を交換可能に装着する枠体に設けられれば、機種替により枠体に対し古い機種の遊技盤を新しい機種の遊技盤に交換しても、球払出制御部２０が共通部品として使用できる。【選択図】図１
2006061721.tif 000002
【特許請求の範囲】
【請求項１】
入賞口に入賞した入賞球を検出する入賞球検出スイッチと、賞球を払い出す賞球払出機構部と、遊技の全般を制御する主制御部と、賞球払出機構部を制御する球払出制御部とを備えたパチンコ機の賞球払出装置において、主制御部と球払出制御部とが互いに分別構成され、主制御部が、入賞球検出スイッチより入力された入賞球検出信号に対応する賞球指示払出数を生成し、その生成した賞球指示払出数の所定単位数量毎に賞球数量情報をホールコンピュータに送信し、上記生成した賞球指示払出数を球払出制御部に出力し、球払出制御部が主制御部より入力された賞球指示払出数に基づき賞球払出機構部を制御することを特徴とするパチンコ機の賞球払出装置。
【発明の詳細な説明】
【技術分野】
【０００１】
本発明は、遊技者の操作で発射された遊技球が遊技盤に設けられた入賞口に入賞することにより、その入賞に対応する設定数の賞球を自動的に払出す場合において、賞球数量情報の正確な管理が図れる、パチンコ機の賞球払出装置に関する。
【背景技術】
【０００２】
特許第２５１９６８３号公報で開示されたパチンコ機の賞球払出装置は、遊技者の操作で発射された遊技球が遊技盤に設けられた入賞口に入賞し、主制御部がその入賞に対応して設定された賞球指示払出数を球払出制御部に出力し、球払出制御部がその賞球指示払出数により賞球払出機構部を電気的に制御し、賞球払出機構部が賞球を払出す。
【特許文献１】特許第２５１９６８３号公報
【発明の開示】
【発明が解決しようとする課題】
【０００３】
しかし、前記従来のパチンコ機の賞球払出装置では、賞球払出機構部の賞球検出スイッチが賞球払出機構部より払出される賞球を検出した信号を主制御部又は球払出制御部に出力し、主制御部又は球払出制御部が賞球検出スイッチからの賞球検出信号より生成した賞球払出数の所定単位数毎に賞球数量情報としての１パルスをホールコンピュータに出力する構成である。つまり、パチンコ機からホールコンピュータに出力される賞球数量情報の管理は出口管理である。そのため、例えば、大当り遊技が終了しているにも拘らず、賞球払出機構部での賞球払出が終了していないことにより、入賞と賞球数量情報出力とのタイムラグが増大し、賞球数量情報が正確に管理できない可能性がある。
【課題を解決するための手段】
【０００４】
本発明に係るパチンコ機の賞球払出装置は、入賞口に入賞した入賞球を検出する入賞球検出スイッチと、賞球を払出す賞球払出機構部と、遊技の全般を制御する主制御部と、賞球払出機構部を制御する球払出制御部とを備えたパチンコ機の賞球払出装置において、主制御部と球払出制御部とが互いに分別構成され、主制御部が、入賞球検出スイッチより入力された入賞球検出信号に対応する賞球指示払出数を生成し、その生成した賞球指示払出数の所定単位数量毎に賞球数量情報をホールコンピュータに送信し、上記生成した賞球指示払出数を球払出制御部に出力し、球払出制御部が主制御部より入力された賞球指示払出数に基づき賞球払出機構部を制御することを最も主要な特徴とする。
【発明の効果】
【０００５】
本発明に係るパチンコ機の賞球払出装置は、賞球払出機構部による払出しが行われた結果を所定単位数毎にホールコンピュータに出力するのではなく、賞球払出機構部による払出しを行うための賞球指示払出数の所定単位数量毎に賞球数量情報をホールコンピュータに出力することにより、賞球数量情報が入口管理となり、入賞と賞球数量情報出力とのタイムラグが減少し、賞球数量情報を正確に管理できるうえ、主制御部と球払出制御部とが互いに分別構成され、主制御部が、入賞球検出スイッチより入力された入賞球検出信号に対応する賞球指示払出数を生成し、その生成した賞球指示払出数の所定単位数量毎に賞球数量情報をホールコンピュータに送信し、上記生成した賞球指示払出数を球払出制御部に出力するので、主制御部が遊技盤裏面に設けられ、球払出制御部が遊技盤を交換可能に装着する枠体に設けられれば、機種替により枠体に対し古い機種の遊技盤を新しい機種の遊技盤に交換しても、球払出制御部が共通部品として使用できるという利点がある。
【発明を実施するための最良の形態】
【０００６】
図１〜図４は本発明の第１実施形態であって、図１はパチンコ機の賞球払出制御を示し、図２は賞球指示コマンドの構成を示し、図３は賞球指示以外コマンドの構成を示し、図４は賞球数量情報出力のタイミングチャートを示す。
【０００７】
図１を参照し、賞球払出装置について説明する。１は遊技盤前面に設けられた入賞口であって、一般入賞口、始動口、可変入賞口等と呼ばれる複数種類の入賞口が複数又は単数存在するが、それらを総称した形態で１つ図示されている。２は入賞口１に入賞した入賞球である。この第１実施形態の場合、一般入賞口は１個の入賞球２が入賞する毎に１０個の賞球４７が払出される。始動口は１個の入賞球２が入賞する毎に、５個の賞球４７が払出され、遊技盤にセンター役物として設けられた液晶やＬＥＤ又はＣＲＴ或いはプラズマディスプレイ等のような表示器の図柄変動遊技が始まる。但し、表示器による１回の遊技中に、始動口に入賞球２が入賞した場合は、４個のような所定数までは記憶しておき、表示器の１回の図柄変動遊技終了毎にその記憶数の範囲で、表示器による図柄変動遊技が繰り返される。表示器による１回の図柄変動遊技終了毎に停止した図柄の組合せが予め定められた組合せに一致する毎に、可変入賞口は球が入りやすい形態に開く。可変入賞口は大入賞口とも呼ばれ、１個の入賞球２が入る毎に、１５個の賞球４７が払出される。但し、可変入賞口は１回開いている間に入賞球２が１０個入るか、又は、開き始めより３０秒のような所定時間経過するかの何れか１つの条件が成立すると、可変入賞口は閉じる。これら入賞と遊技と賞球払出との関係は、パチンコ機の遊技全般を電気的に制御する主制御部４と、主制御部４からの電気的な指示により賞球払出機構部３０を電気的に制御する球払出制御部２０とにより制御される。
【０００８】
３は入賞球検出スイッチであって、入賞口１に入賞した入賞球２を検出する毎に入賞球検出信号を主制御部４に出力する。入賞球検出スイッチ３は、近接スイッチのようなセンサにより構成されており、入賞球２に反応してオン動作するが、入賞口１に挿入されたピアノ線には反応しにくく、不正防止を図る形態である。入賞球検出スイッチ３は賞球払出数の系統毎に設けても良いが、入賞口１のそれぞれに対応して設ければ、入賞口１に入賞した入賞球２の数と、入賞球検出信号の数との整合性が向上する。それは、賞球払出数の系統に対応して入賞球検出スイッチ３を設けた場合、入賞口１に入賞した複数の入賞球２が複数の入賞口１を賞球払出数の系統毎に区分する系統通路内を数珠繋ぎに流下し、それら連繋状態の入賞球２を１個ずつ分別検出する入賞球検出スイッチ３の動作が正確に働かず、入賞球検出スイッチ３が複数の入賞球を１個として誤検出する可能性が高い。これに対し、入賞口１毎に入賞球検出スイッチ３を設けた場合、１つの入賞口１に複数の入賞球２が同時に入賞する形態が少なく、又、１つの入賞口１に複数の入賞球２が同時に入賞しても入賞口１から入賞球検出スイッチ３までの距離を移動する間に数珠繋ぎとなることが極希であり、入賞球検出スイッチ３が入賞球２を１個ずつ正確に検出できるからである。
【０００９】
主制御部４や球払出制御部２０はＣＰＵとＲＯＭとＲＡＭとより成るマイクロコンピュータを個別に備える。主制御部４のマイクロコンピュータは、入賞球検出スイッチ３からの入賞球検出信号が配線及び入力インターフェースを介して入力すると、ＣＰＵがＲＯＭに設定されたプログラムに基づき、ＲＡＭを処理過程の記憶手段として入力処理・エラー処理・図柄制御処理・賞球制御処理・外部情報処理・コマンドセット処理等の遊技全般の遊技処理を実行し、その処理結果であるコマンドを、出力インターフェース及び配線を介して、球払出制御部２０、図外の特別図柄制御部、図外の表示灯制御部、図外の効果音制御部、図外の球発射制御部に一方向に出力する。これらの主制御部４、球払出制御部２０、特別図柄制御部、表示灯制御部、効果音制御部及び球発射制御部は互いに機能別に分割されたものである。
【００１０】
特に、主制御部４は入賞球検出スイッチ３より入力された入賞球検出信号に対応する賞球指示払出数を含む識別情報であるコマンドを信号線により球払出制御部２０に送信し、球払出制御部２０が主制御部４から受信したコマンドより解読した賞球指示払出数により賞球払出機構部３０を信号線を介して電気的に制御する形態であって、主制御部４に封印回路ケース及びセキュリティＣＰＵ等を採用することにより、不正防止対策を講じることができる。
【００１１】
主制御部４は、入賞検出手段５、賞球指示払出数計数手段６、コマンド出力手段７、賞球指示残数計数手段８、賞球数量情報手段９、エラー検出手段１０を備える。球払出制御部２０は、コマンド解読手段２１、賞球払出指示手段２２、賞球残数計数手段２３を備える。賞球払出機構部３０は、賞球払出通路３１、賞球払出アクチュエータ３２、通路開閉部材３３を備える。賞球払出アクチュエータ３２は電磁ソレノイド又はステッピングモータのどちらでも使用し得るが、ステッピングモータを使用した場合はステッピングモータの駆動パルス信号を賞球検出スイッチ４０から出力される賞球検出信号として採用すれば、賞球検出スイッチ４０が省略できる。賞球検出スイッチ４０は賞球払出機構部３０より払出された賞球４７を検出する毎に賞球検出信号を主制御部４及び球払出制御部２０に中継基板４８を経由して出力する。賞球検出スイッチ４０が賞球払出機構部３０の通路開閉部材３３より上流側の賞球払出通路３１に設けられたことにより、賞球検出スイッチ４０が賞球払出機構部３０より払出される直前の賞球４７を検出し、賞球払出アクチュエータ３２の賞球払出動作と賞球検出スイッチ４０の検出動作とのタイムラグを解消することができる。
【００１２】
４１は賞球払出通路３１の上流側に接続されて賞球４７を貯蔵するタンク、４２はタンク４１への補給球の有無を確認するための補給確認スイッチ、４３は通路開閉部材３３及び賞球検出スイッチ４０の双方よりも上位において払出すべき賞球４７が準備されているかを確認するための賞球準備検出スイッチ、４４は賞球払出通路３１より払出された賞球４７を受ける上皿、４５は上皿４４より溢れた賞球４７を受ける下皿、４６は上皿４４より下皿４５に流下して溜まった賞球４７が賞球払出機構部３０内にオーバーフローすることを検出するためのオーバーフロー検出スイッチである。そして、補給確認スイッチ４２が未検出状態の時、主制御部４は補給要求をパチンコ機の裏側に設けられた図外の外部情報基板を経由してホールコンピュータ５０に出力する。賞球準備検出スイッチ４３が検出状態及びオーバーフロー検出スイッチ４６が未検出状態の条件が同時に成立した場合に、主制御部４は賞球可能と判断して球払出制御部２０へ賞球許可コマンドを送出する。４８は主制御部４および球払出制御部２０と別体にそれらの外部に設けられた中継基板であって、賞球検出スイッチ４０の配線を分岐して主制御部４及び球払出制御部２０に分配するコネクタが搭載された基板である。入賞球検出スイッチ３と賞球検出スイッチ４０及び賞球準備検出スイッチ４３は夫々の内部を賞球４７が１個ずつ通過するのを可動機構を介さずに直接検出可能な非接触タイプになっている。
【００１３】
第１実施形態の場合、遊技者の操作で発射された遊技球が複数の入賞口１の何れかに入賞し、入賞球検出スイッチ３が入賞球２を検出した入賞球検出信号を主制御部４に出力する。これにより、先ず、入賞検出手段５は入賞球検出信号が複数のうちのどの入賞球検出スイッチ３より入力された信号かを判別し、その判別結果を賞球指示払出数計数手段６に転送する。賞球指示払出数計数手段６は入賞検出手段５からの判別結果により入賞球検出信号に対応した賞球指示払出数を主制御部４に設定された複数の賞球指示払出数中より抽出して加算（カウントアップ）し、加算値である賞球指示払出数をコマンド出力手段７及び賞球数量情報手段９に転送し、自身の加算値を転送した分の賞球指示払出数だけ減算する。コマンド出力手段７は賞球指示払出数を含むコマンドを生成して球払出制御部２０に出力すると共に賞球指示払出数を賞球指示残数計数手段８に転送する。賞球指示残数計数手段８は賞球指示払出数により加算される。賞球数量情報手段９は賞球指示払出数計数手段６より転送された賞球指示払出数を加算し、加算値である賞球指示払出数の所定単位数量毎に賞球数量情報を主制御部４から球払出制御部２０へのコマンド送信とは無関係に又は関連付けて前記外部情報基板を経由しホールコンピュータ５０に出力し、自身の加算値を所定単位数量だけ減算する。
【００１４】
次に、球払出制御部２０では、コマンド解読手段２１が主制御部４からのコマンドを解読してコマンド中の賞球指示払出数をコマンドデータより変換して賞球払出指示手段２２及び賞球残数計数手段２３に転送する。賞球残数計数手段２３は賞球指示払出数により加算される。賞球払出指示手段２２は賞球指示払出数に基づき賞球払出機構部３０の賞球払出アクチュエータ３２を電気的に制御する。これにより、通路開閉部材３３が賞球払出通路３１を賞球指示払出数の球が通過する間だけ開き、賞球４７がタンク４１側より上皿４４に払出される。そして、賞球検出スイッチ４０が払出される賞球４７を検出する毎に賞球払出数に相当する賞球検出信号を主制御部４及び球払出制御部２０に出力する。賞球指示残数計数手段８及び賞球残数計数手段２３では賞球検出信号である賞球払出数により減算される。それから、賞球残数計数手段２３の計数値がゼロになると賞球払出指示手段２２が賞球払出の停止制御を実行することにより、賞球払出アクチュエータ３２が停止し、通路開閉部材３３が賞球払出通路３１を閉じ、賞球払出機構部３０による賞球払出動作が停止する。
【００１５】
前記入賞から賞球払出までの処理中において、エラー検出手段１０は主制御部４における賞球制御処理の開始より所定時間内に賞球指示残数計数手段８における計数値である賞球指示残数がゼロにならない正数である場合に賞球不足エラーを検出し、その正数である賞球指示残数を予め設定された不足レベル判定値と比較し、正数である不足エラー数が複数の異なる段階の不足エラーレベルのどれに該当するかを分別する。又、エラー検出手段１０は賞球指示残数計数手段８における計数値である賞球指示残数がゼロを含まないゼロより小さい負数になった場合に賞球超過エラーを検出し、その負数である賞球指示残数を予め設定された超過レベル判定値と比較し、負数である超過エラー数が複数の異なる段階の超過エラーレベルのどれに該当するかを分別する。そして、エラー検出手段１０は、不足エラーレベル信号又は超過エラーレベル信号により、賞球禁止コマンドや発射禁止コマンドを球払出制御部２０に送信し、表示エラーコマンドを図外の特別図柄制御部や表示灯制御部及び効果音制御部に送信する。
【００１６】
図２を参照し、主制御部４から球払出制御部２０に出力される賞球指示コマンドについて説明する。賞球指示コマンドは８ビットであって、最上位ビットＤ７はコマンドの種類であり、この最上位ビットＤ７が「０」の場合は賞球指示コマンドとなる。賞球指示コマンドにおける最下位ビットＤ０乃至第７位ビットＤ６の組合わせが１個乃至１２７個までの賞球指示払出数を示す。但し、不正防止上、例えば５０個までの条件を設けることも可能である。
【００１７】
図３を参照し、主制御部４から球払出制御部２０に出力される賞球指示以外コマンドについて説明する。賞球指示以外コマンドは８ビットであって、最上位ビットＤ７はコマンドの種類であり、最上位ビットＤ７が「１」の場合は賞球指示以外コマンドとなる。賞球指示以外コマンドにおける最下位ビットＤ０乃至第３位ビットＤ３までが対応する機能を示す。最下位ビットＤ０が「１」の場合は賞球禁止セットを表し、第１位ビットＤ１が「１」の場合は賞球禁止解除（賞球許可）セットを表し、第２位ビットＤ２が「１」の場合は発射許可セットを表し、第３位ビットＤ３が「１」の場合は発射禁止セットを表す。
【００１８】
図４を参照し、賞球数量情報出力に関するタイミングについて説明する。主制御部４では、入賞球検出信号による賞球指示払出数の加算値を演算し、その加算値が所定単位数を超える毎に、加算値から所定単位数を減算すると共に賞球数量情報を１つ出力する。例えば、所定単位数を「１０」と定めた場合、時刻ｔ１においてａ図に示す入賞による賞球指示払出数が５個であると、その時刻ｔ１でのｂ図に示す加算値が「５」である。そして、時刻ｔ２においてａ図に示す次の入賞による賞球指示払出数が１０個であると、その時刻ｔ２でのｂ図に示す加算値が「５＋１０＝１５」となる。この時刻ｔ２での加算値が所定単位数以上であるので、ｂ図に示す加算値が１５−１０＝５と減算されると共に、ｃ図に示す賞球数量情報Ｓ１が出力される。更に、時刻ｔ４においてａ図に示す更なる入賞による賞球指示払出数が１５個であると、その時刻ｔ４でのｂ図に示す加算値が「５＋１５＝２０」となる。この時刻ｔ４での加算値が所定単位数の２倍であるので、ｂ図に示す加算値が２０−１０−１０＝０と減算されると共に、ｃ図に示す賞球数量情報Ｓ２；Ｓ３が時刻ｔ４；ｔ６で出力される。賞球数量情報Ｓ１の立下がり時刻ｔ３と賞球数量情報Ｓ２の立上がり時刻ｔ４とのインターバル、及び、賞球数量情報Ｓ２の立下がり時刻ｔ５と賞球数量情報Ｓ３の立上がり時刻ｔ６とのインターバルは、ホールコンピュータ５０が主制御部４からの賞球数量情報のゼロレベルを的確に確認できるようにする必要からホールコンピュータ５０のスキャン時間以上に定められる。
【００１９】
第１実施形態によれば、主制御部４が機能分割された球払出制御部２０へ一方向のコマンドを送出するパチンコ機において、主制御部４が賞球指示払出数を生成し、その生成した賞球指示払出数の所定単位数毎に賞球数量情報をホールコンピュータ５０に送信すると共に、生成した賞球指示払出数の含まれるコマンドを球払出制御部２０に送信する。球払出制御部２０はコマンドを受信することによりコマンド中の賞球払出数に基づき賞球払出機構部３０を電気的に制御し、賞球検出スイッチ４０が賞球払出機構部３０より払出された賞球４７を検出した賞球検出信号を主制御部４及び球払出制御部２０に送信する。又、主制御部４の賞球指示残数計数手段８は上記主制御部４からのコマンドを受信することにより賞球指示払出数を加算すると共に賞球検出スイッチ４０から入力された賞球検出信号に相当する賞球払出数を減算することにより、主制御部４が賞球払出機構部３０より払出される賞球払出数の計数管理を行う。又、球払出制御部２０の賞球残数計数手段２３は上記主制御部４から入力されたコマンドにより賞球指示払出数を加算すると共に賞球検出スイッチ４０から入力された賞球検出信号に相当する賞球払出数を減算することにより、球払出制御部２０が賞球払出機構部３０より払出される賞球払出数の計数管理を行う。又、賞球数量情報手段９を備えた主制御部４が遊技盤裏面に設けられ、球払出制御部２０が遊技盤を交換可能に装着する枠体に設けられれば、機種替により枠体に対し古い機種の遊技盤を新しい機種の遊技盤に交換することにより、賞球数量情報手段９も主制御部４と一緒に交換されるので、新機種の遊技盤に取付けられた主制御部４における賞球数量情報手段９の所定単位数量が旧機種の遊技盤に取付けられた主制御部４における賞球数量情報手段９の所定単位数量と異る値に設定されていれば、新旧の遊技盤交換に伴い賞球数量情報手段９の所定単位数量の変更もできる。又、賞球数量情報手段９を備えた主制御部４が遊技盤裏面に設けられ、球払出制御部２０が遊技盤を交換可能に装着する枠体に設けられれば、機種替により枠体に対し古い機種の遊技盤を新しい機種の遊技盤に交換しても、球払出制御部２０が共通部品として使用できる。
【００２０】
図５は本発明の第２実施形態に係るパチンコ機の賞球払出制御を示す。第２実施形態では、主制御部４より賞球数量情報手段９を削除し、賞球払出制御部２０に賞球数量情報手段２４を追加し、賞球数量情報手段２４がコマンド解読手段２１で解読された賞球指示払出数を加算し、加算値である賞球指示払出数の所定単位数量毎に賞球数量情報を前記外部情報基板を経由してホールコンピュータ５０に出力し、自身の加算値を所定単位数量だけ減算する。つまり、賞球数量情報手段９が主制御部４より削除されたことにより、賞球指示払出数計数手段６は賞球指示払出数をコマンド出力手段７にだけ転送すれば良く、主制御部４の負担が軽減される。
【００２１】
図６は本発明の第３実施形態に係るパチンコ機の賞球払出制御を示す。第３実施形態では、制御部２５が前記主制御部４と前記球払出制御部２０との集合体として形成されたことにより、制御部２５からコマンド出力手段７、賞球指示残数計数手段８、コマンド解読手段２１を削除することができる。賞球指示払出数計数手段１１は入賞検出手段５からの判別結果により入賞球検出信号に対応した賞球指示払出数を主制御部４に設定された複数の賞球指示払出数中より抽出して加算（カウントアップ）し、加算値である賞球指示払出数を賞球払出指示手段２２及び賞球数量情報手段９に転送し、自身の加算値を転送した分の賞球指示払出数だけ減算する。
【図面の簡単な説明】
【００２２】
【図１】本発明の第１実施形態を示す構成図。
【図２】同第１実施形態の賞球指示コマンドの構成を示す図表。
【図３】同第１実施形態の賞球指示以外コマンドの構成を示す図表。
【図４】同第１実施形態の賞球数量情報出力のタイミングチャート。
【図５】本発明の第２実施形態を示す構成図。
【図６】本発明の第３実施形態を示す構成図。
【符号の説明】
【００２３】
１  入賞口
２  入賞球
３  入賞球検出スイッチ
４  主制御部
６  賞球指示払出数計数手段
７  コマンド出力手段
２０  球払出制御部
２１  コマンド解読手段
２３  賞球残数計数手段
２４  賞球数量情報手段
【図１】
2006061721.tif 000003
【図２】
2006061721.tif 000004
【図３】
2006061721.tif 000005
【図４】
2006061721.tif 000006
【図５】
2006061721.tif 000007
【図６】
2006061721.tif 000008